(57)【要約】【課題】容器の両側を規制するガイドを設置したコンベア上で容器本体の向きを一定方向に揃えることができる包装用容器を提供する。【解決手段】上方に円形の開口が形成された容器本体と該容器本体に上方から嵌合される蓋とから構成される合成樹脂製の包装用容器であって、前記容器本体は、本体フランジを有し、前記本体フランジの外周縁は、対向する一対の直線部を設け、前記蓋は、蓋フランジを有し、前記本体に前記蓋を嵌合したときに、前記蓋フランジの外周縁が前記本体フランジの前記直線部の内側にある包装用容器を提供する。【選択図】図１
0003212179.tif 000002
【実用新案登録請求の範囲】
【請求項１】
上方に円形の開口が形成された容器本体と該容器本体に上方から嵌合される蓋とから構成される合成樹脂製の包装用容器であって、
前記容器本体は、本体フランジを有し、前記本体フランジの外周縁は、対向する少なくとも一対の直線部を設け、
前記蓋は、蓋フランジを有し、前記容器本体に前記蓋を嵌合したときに、前記蓋フランジの外周縁が前記本体フランジの前記直線部の内側にある包装用容器。
【請求項２】
前記容器本体は、底壁と該底壁の周囲から立設した本体側壁と、該本体側壁の上端から外周方向へ延設した上面壁と、該上面壁の外周縁から下方へ降設した本体外側壁が形成され、該本体外側壁の下端から外周方向へ延設した前記本体フランジが形成される請求項１に記載の包装用容器。
【請求項３】
前記蓋は、天面壁と該天面壁の周囲から降設した蓋側壁と、該蓋側壁の下端から外周方向へ延設した蓋段部と、該蓋段部の外周縁から降設した蓋外側壁と、該蓋フランジが前記蓋外側壁の下端から外周方向に延設される請求項１または２に記載の包装用容器。
【請求項４】
前記天面壁の外周部の対向する位置に天面壁よりも高い一対の丘状部を形成することによって、該丘状部間に前記天面壁の一方の外周縁から他方の外周縁まで連続する平面部が形成された請求項３に記載の包装用容器。
【請求項５】
前記本体外側壁に外周方向へ膨出した環状本体係止突条が形成され、前記蓋外側壁に内側へ膨出した蓋係止突条が形成された請求項２〜４にいずれか一項に記載の包装用容器。
【考案の詳細な説明】
【技術分野】
【０００１】
本考案は、包装容器に関する。より詳しくは、容易に容器本体に蓋を嵌合でき、包装容器に帯をする際、前記帯が外れ難い包装用の容器に関する。
【背景技術】
【０００２】
スーパーマーケットやコンビニエンスストア等では食品を各種包装用容器に収容して販売している。食品包装用の容器としては、容器本体と蓋とにより構成される合成樹脂製の包装容器であって、容器本体に内容物を収容した後、上から蓋を被せて容器本体に蓋を嵌合する構造の包装用容器がよく使用される。特許文献１には、これらの容器に、嵌合解除のために、本体と蓋に摘みに摘み片が設けられる旨の記載があるが、嵌合時に摘み片の位置合わせを容易にできる方法は記載されていない。また、摘み片以外の部分に関しても、本体と蓋の位置合わせを容易にできる方法は記載されていない。
【０００３】
また、食品包装用の容器においては容器本体内に食品を収容して蓋をした後に帯を巻回して販売することが通常に行われている。容器全体に帯封をする場合、容器の形状が円形であると帯が容器外周部の対向する２箇所で点接触するため、帯は接触部の両側において宙に浮いた状態となって、皺が寄ったり、僅かな外力で帯自体が容器から外れてしまうことがある。
【先行技術文献】
【特許文献】
【０００４】
【特許文献１】特開２０１５−８５９５４号公報
【考案の概要】
【考案が解決しようとする課題】
【０００５】
それゆえに本考案は上記従来の問題点に鑑みてなされ、容易に、容器本体に蓋を嵌合でき、包装用の容器に帯をする際、前記帯が外れ難い食品包装用の容器を提供することを課題としている。
【課題を解決するための手段】
【０００６】
上記課題を解決するために、本考案は以下のような構成を有する包装用容器を開発した。
（１）上方に円形の開口が形成された容器本体と該容器本体に上方から嵌合される蓋とから構成される合成樹脂製の包装用容器であって、
前記容器本体は、本体フランジを有し、前記本体フランジの外周縁は、対向する少なくとも一対の直線部を設け、
前記蓋は、蓋フランジを有し、前記容器本体に前記蓋を嵌合したときに、前記蓋フランジの外周縁が前記本体フランジの前記直線部の内側にある包装用容器。
（２）前記容器本体は、底壁と該底壁の周囲から立設した本体側壁と、該本体側壁の上端から外周方向へ延設した上面壁と、該上面壁の外周縁から下方へ降設した本体外側壁が形成され、該本体外側壁の下端から外周方向へ延設した前記本体フランジが形成される（１）に記載の包装用容器。
（３）前記蓋は、天面壁と該天面壁の周囲から降設した蓋側壁と、該蓋側壁の下端から外周方向へ延設した蓋段部と、該蓋段部の外周縁から降設した蓋外側壁と、該蓋フランジが前記蓋外側壁の下端から外周方向に延設される（１）または（２）に記載の包装用容器。
（４）前記天面壁の外周部の対向する位置に天面壁よりも高い一対の丘状部を形成することによって、該丘状部間に前記天面壁の一方の外周縁から他方の外周縁まで連続する平面部が形成された（３）に記載の包装用容器。
（５）前記本体外側壁に外周方向へ膨出した環状本体係止突条が形成され、前記蓋外側壁に内側へ膨出した蓋係止突条が形成された（２）〜（４）にいずれか一項に記載の包装用容器。
【考案の効果】
【０００７】
本考案の容器本体には、フランジの外周縁に、対向する一対の直線部を設けているため、ガイドを設置したコンベアで搬送する際、その向きを一定に規制することができ、コンベア上で前記容器本体に蓋を嵌合する作業を効率的にできる。
【０００８】
また、本体フランジに直線部を形成しているので、帯が線接触し、帯封に皺ができ難い。
さらに、蓋には、天面壁よりも高い一対の丘状部を有するので、該一対の丘状部の間（平面部）に、帯封をすることにより、巻回状態を安定でき、外れ難くできる。
【考案を実施するための形態】
【０００９】
以下、本考案を実施するための好適な形態について説明する。なお、以下に説明する実施形態は、本考案の代表的な実施形態の一例を示したものであり、これにより本考案の範囲が狭く解釈されることはない。
【００１０】
本考案は、上方に円形の開口が形成された容器本体と該容器本体に上方から嵌合される蓋とから構成される合成樹脂製の包装用容器であって、前記容器本体は、本体フランジを有し、前記本体フランジの外周縁は、対向する一対の直線部を設け、前記蓋は、蓋フランジを有し、前記本体に前記蓋を嵌合したときに、前記蓋フランジの外周縁が前記本体フランジの前記直線部の内側にある包装用容器である。
【００１１】
前記容器本体は、底壁と該底壁の周囲から立設した本体側壁と、該本体側壁の上端から外周方向へ延設した上面壁と、該上面壁の外周縁から下方へ降設した本体外側壁が形成され、該本体外側壁の下端から外周方向へ延設した前記本体フランジが形成されてもよい。
【００１２】
前記本体外側壁部の外周面には外周方向に膨出した本体係止突条が形成されてよい。該本体係止突条は、容器本体と蓋の嵌合状態を保持するもので、本体外側壁部の全周に設けても間欠状態に設けてもよく、間欠状態に設ける場合はその数や個々の長さは限定されるものではない。
また、前記容器本体の本体側壁には、上面壁寄りの位置に本体段部を形成してもよい。本体段部を形成することによって、該本体段部に中皿を載置することが可能となる。
【００１３】
コンベア上に容器本体の両側を規制するガイドを設置し、該ガイド間の距離を容器本体の本体フランジに設けた一対の直線部の幅に合わせることによって、容器本体が自由な方向を向いてしまうことを阻止でき、製造ラインを流れてくる容器本体の向きを一定方向に揃えることができる。前記本体フランジの直線部は、厳密に平行である必要はなく、コンベア上のガイドによって容器本体の向きを規制できればよく、湾曲していても凹凸が形成されていてもよい。
【００１４】
前記ガイド間の距離は、本体フランジに形成された一対の直線部の幅に厳密に合わせる必要はなく、容器本体の向きを規制できる距離であればよい。また、前記ガイド間の距離は一対の直線部の幅より僅かに広い方が容器本体とガイドとの摩擦抵抗が小さくなり、容器本体が製造ラインス上をムーズに流れることができる。
【００１５】
前記蓋は、天面壁と該天面壁の周囲から降設した蓋側壁と、該蓋側壁の下端から外周方向へ延設した蓋段部と、該蓋段部の外周端から降設した蓋外側壁とによって下方に円形の開口が形成され、蓋フランジが蓋外側壁の下端から外周方向に延設されている。該蓋フランジは、容器本体に蓋を嵌合した際に、本体フランジに形成した直線部の外側に突出しなければよく、その大きさや形状は特に限定されるものではない。また、前記蓋外側壁の下端寄りの位置には、容器本体に蓋を嵌合した際に、嵌合状態を保持するための内側へ膨出した蓋係止突条が形成されている。
【００１６】
前記蓋には、天面壁の外周部の対向する位置に天面壁よりも高い一対の丘状部を形成することによって、該丘状部間に天面壁の一方の外周縁から他方の外周縁まで連続する平面部が形成されている。該平面部に帯を掛けて容器全体を巻回すれば、帯は丘状部に規制されてズレが阻止されるため容器から外れ難くなる。
【００１７】
前記容器本体に前記蓋を嵌合させる際、本体フランジの直線部の位置に天面壁の平面部外周縁の位置を合わせて嵌合すると、平面部に巻回した帯が容器本体の直線部を覆って容器全体を巻回することになる。本体フランジに直線部を形成しないと、帯が本体フランジの円形外周縁と点接触することになり帯がズレ易くなる。該帯を本体フランジの直線部を覆って容器全体に巻回させることによって、帯と本体フランジとが線接触するため帯封の巻回状態が安定し帯封はより外れ難くなる。
【００１８】
容器本体及び蓋の素材は合成樹脂であればよく特に限定されるものではなく、食品包装用容器の場合は、ポリプロピレン系、ポリスチレン系、ポリエチレン系のものが一般的によく使用され、これらの素材を混合した素材やこれらの素材を積層した素材を使用してもよい。
また、容器本体と蓋は同じ素材であっても異なる素材であってもよく、発泡した素材であってもよい。
【００１９】
容器本体及び蓋の成形方法は特に限定されるものではなく、食品包装用容器の場合は、前記素材のシートを真空成形・圧空成形・熱盤成形等の加熱成形する方法がよく採用されるが、射出成型やブロー成形による成形方法であってもよい。
【図面の簡単な説明】
【００２０】
【図１】本考案を適用した実施例１の容器本体の斜視図。
【図２】本考案を適用した実施例１の容器本体の平面図。
【図３】本考案を適用した実施例１の蓋の斜視図。
【図４】本考案を適用した実施例１の蓋の平面図。
【図５】本考案を適用した実施例１の容器本体と蓋とを嵌合し、容器全体に帯を巻回した状態を示した斜視図。
【図６】本考案を適用した実施例１の容器本体がコンベア上のガイドによって方向を規制された状態を示す模式図。
【実施例】
【００２１】
以下、本考案における包装容器の実施例について図を参酌して説明する。
【実施例１】
【００２２】
図１に表した実施例１の包装用容器は、厚さ０．３ｍｍの二軸延伸したポリスチレンのシートを熱盤成形した容器本体１と、厚さ０．２５ｍｍの二軸延伸したポリスチレンのシートを熱盤成形した蓋２とから構成される包装用容器である。  
実施例１の包装用容器の容器本体及び蓋の素材は合成樹脂であればよく、二軸延伸したポリスチレンのシートに限定されるものではない。食品包装用の容器の場合は、ポリプロピレン系、ポリスチレン系、ポリエチレン系の素材が一般的に良く使用され、これらの素材を混合した素材やこれらの素材を積層した素材であってもよく、これらの素材を発泡したものであってもよい。また、シートの厚みは特に限定されるものではない。
【００２３】
図１及び図２に表したように、容器本体１は、円形の底壁１１と該底壁１１の周囲から立設した本体側壁１２とによって上方に円形の開口が形成され、前記本体側壁１２の上端から外周方向へ延設した上面壁１３と、該上面壁１３の外周縁から下方へ降設した本体外側壁１４が形成され、さらに、該本体外側壁１４の下端から外周方向へ延設した本体フランジ１５が形成されている。該本体フランジ１５には対向する位置に一対の直線部１７Ａ，１７Ｂが設けられ、両直線部１７以外の部分の外周縁（円弧部１６）は外側壁１４の曲率より僅かに小さな曲率を有する円弧状に形成した。
また、前記容器本体１の本体側壁１２には、上面壁１３寄りの位置に本体段部を形成した。該本体段部を形成することによって、本体段部に別部品の中皿を載置することができる。
【００２４】
実施例１の包装用容器の容器本体１は、本体外側壁１４の下端の直径を１９０ｍｍ、一対の直線部１７Ａ，１７Ｂ間の幅を１９６ｍｍ、直線部１７Ａ，１７Ｂの長さを８０ｍｍとした。直線部１７は、厳密に直線である必要はなく、コンベア上のガイドによって容器本体の向きが規制できればよく、多少湾曲していても凹凸が形成されていてもよい。
また、前記本体外側壁部１４には全周に亘って外周方向に膨出した上下方向の幅が２ｍｍで突出高さが０．５ｍｍの環状本体係止突条１８が形成されている。該本体係止突条１８は、容器本体１と蓋２の嵌合状態が保持できればよく、本体外側壁部１４の全周に設けても間欠状態に設けてもよく、間欠状態に設ける場合は、その数や個々の長さや幅や突出高さは限定されるものではない。
【００２５】
実施例１の包装用容器の蓋２は、図３及び図４に表したように、天面壁２１と該天面壁２１の周囲から降設した蓋側壁２２と、該蓋側壁２２の下端部から外周方向へ延設した段部２３と、該段部２３の外周縁から降設した蓋外側壁２４とによって下方に円形の開口が形成され、蓋フランジ２５が蓋外側壁２４の下端から外周方向に延設されている。蓋フランジ２５の外周縁は直径１９５ｍｍの円形とした。該蓋フランジ２５は、容器本体１に蓋２を嵌合した際に、本体フランジ１５に形成した直線部１７Ａ，１７Ｂの外側に突出しなければよく、その大きさや形状は特に限定されるものではない。
【００２６】
前記蓋外側壁２４には下端寄りの位置に内側へ膨出した蓋係止突条２８が蓋外側壁２４の全周に亘って八つ等間隔に間欠形成されている。該蓋係止突条２８は、上下方向の幅を２ｍｍ、一つの周方向の長さを３ｃｍ、膨出高さを１ｍｍとした。蓋係止突条２８は、本体係止突条１８と係止して容器本体１と蓋２との嵌合状態を保持できればよく、蓋外側壁２４の全周に設けても間欠状態に設けてもよく、間欠状態に設ける場合はその数や個々の長さや幅は限定されるものではない。
【００２７】
前記蓋２には、天面壁２１の外周部の対向する位置に、天面壁２１よりも高い一対の丘状部２６を形成することによって、該丘状部２６間に蓋の一方の外周縁２７Ａから他方の外周縁２７Ｂまで連続する平面部２７が形成されている。
【００２８】
図５には、容器本体１の開口を塞ぐように蓋２を容器本体1の上方から被せて嵌合し、帯３を巻回した状態を示してある。容器本体１に蓋２を嵌合する際、容器本体１の本体フランジ１５の直線部１７Ａ，１７Ｂの位置に蓋２の平面部２７の外周縁２７Ａ，２７Ｂの位置を合わせて押し込むと、蓋外側壁２４の下端寄りの位置に内側へ膨出形成された係止突条２８が、本体外側壁部１４の全周に亘って外周方向へ膨出形成された環状の本体係止突条１８を乗り越えて該本体係止突条１８の下方に係止することにより容器本体１と蓋２の嵌合状態が保持される。
本実施例１の包装用容器Ａは容器本体１の外側の位置で蓋２が嵌合する外嵌合方式の容器であるが、容器本体と蓋の嵌合方式は、特に限定されるものではなく、内嵌合方式、内外嵌合方式或いはその他の嵌合方式であってもよい。
【００２９】
前記平面部２７に帯３を掛けて該帯３で容器全体を巻回すれば、帯３は丘状部２６に規制されてズレが阻止されるため、帯封が容器Ａから外れ難くなる。
また、前記容器本体１の本体フランジ１５の直線部１７Ａ，１７Ｂの位置に、蓋２の平面部２７の外周縁２７Ａ，２７Ｂの位置を合わせて容器本体１と蓋２を嵌合してあるため、該蓋２の平面部２７に掛けた帯３が本体フランジ１５の直線部１７Ａ，１７Ｂを覆って容器全体を巻回することになる。帯３を本体フランジ１５の直線部１７を覆って巻回させることによって、帯３が直線部１７と線接触するため巻回状態が安定し帯封は容器Ａから外れ難くなる。
【００３０】
前記平面部２７の外周縁２７Ａ，２７Ｂの位置を本体フランジ１５の直線部１７の位置に合わせないと、帯３を本体フランジ１５に巻回させた際に、帯３が本体フランジ１５の円弧部１６と点接触することになり皺ができ易くなる。しかし、帯３を本体フランジ１５の直線部１７に掛けることにより、帯３が直線部１７と線接触するため帯封に皺はでき難くなる。
【００３１】
図６は本考案を適用した実施例１の容器本体１がコンベア４上のガイド４１によって方向を規制された状態を示す模式図である。コンベア４上に容器本体１を規制する一対のガイド４１を設置し、該一対のガイド４１間の距離を本体フランジ１５に形成した一対の直線部１７Ａ，１７Ｂ間の幅に合わせることによって、容器本体１が自由な方向を向いて流れてしまうことを阻止できる。コンベア４上の個々の容器本体１の向きを一定方向に規制することができるため、容器本体１に蓋２を嵌合する作業の効率が向上する。
【符号の説明】
【００３２】
Ａ    包装用容器
１    容器本体
２    蓋
３    帯
４    コンベア
１１  底壁
１２  本体側壁
１３  上面壁
１４  本体外側壁
１５  本体フランジ
１６  円弧部
１７、１７Ａ，１７Ｂ  直線部
１８  環状本体係止突条
２１  天面壁
２２  蓋側壁
２３  蓋段部
２４  蓋外側壁
２５  蓋フランジ
２６  丘状部
２７  平面部
２７Ａ，２７Ｂ  外周縁
２８  蓋係止突条
４１  ガイド
【図１】
0003212179.tif 000003
【図２】
0003212179.tif 000004
【図３】
0003212179.tif 000005
【図４】
0003212179.tif 000006
【図５】
0003212179.tif 000007
【図６】
0003212179.tif 000008
【手続補正書】
【提出日】平成29年7月5日(2017.7.5)
【手続補正１】
【補正対象書類名】実用新案登録請求の範囲
【補正対象項目名】全文
【補正方法】変更
【補正の内容】
【実用新案登録請求の範囲】
【請求項１】
上方に円形の開口が形成された容器本体と該容器本体に上方から嵌合される蓋とから構成される合成樹脂製の包装用容器であって、
前記容器本体は、本体フランジを有し、前記本体フランジの外周縁は、対向する少なくとも一対の直線部を設け、
前記蓋は、蓋フランジを有し、前記容器本体に前記蓋を嵌合したときに、前記蓋フランジの外周縁が前記本体フランジの前記直線部の内側にある包装用容器。
【請求項２】
前記容器本体は、底壁と該底壁の周囲から立設した本体側壁と、該本体側壁の上端から外周方向へ延設した上面壁と、該上面壁の外周縁から下方へ降設した本体外側壁が形成され、該本体外側壁の下端から外周方向へ延設した前記本体フランジが形成される請求項１に記載の包装用容器。
【請求項３】
前記蓋は、天面壁と該天面壁の周囲から降設した蓋側壁と、該蓋側壁の下端から外周方向へ延設した蓋段部と、該蓋段部の外周縁から降設した蓋外側壁と、該蓋フランジが前記蓋外側壁の下端から外周方向に延設される請求項２に記載の包装用容器。
【請求項４】
前記天面壁の外周部の対向する位置に天面壁よりも高い一対の丘状部を形成することによって、該丘状部間に前記天面壁の一方の外周縁から他方の外周縁まで連続する平面部が形成された請求項３に記載の包装用容器。
【請求項５】
前記本体外側壁に外周方向へ膨出した環状本体係止突条が形成され、前記蓋外側壁に内側へ膨出した蓋係止突条が形成された請求項３または４に記載の包装用容器。
【手続補正２】
【補正対象書類名】明細書
【補正対象項目名】０００６
【補正方法】変更
【補正の内容】
【０００６】
上記課題を解決するために、本考案は以下のような構成を有する包装用容器を開発した。
（１）上方に円形の開口が形成された容器本体と該容器本体に上方から嵌合される蓋とから構成される合成樹脂製の包装用容器であって、
前記容器本体は、本体フランジを有し、前記本体フランジの外周縁は、対向する少なくとも一対の直線部を設け、
前記蓋は、蓋フランジを有し、前記容器本体に前記蓋を嵌合したときに、前記蓋フランジの外周縁が前記本体フランジの前記直線部の内側にある包装用容器。
（２）前記容器本体は、底壁と該底壁の周囲から立設した本体側壁と、該本体側壁の上端から外周方向へ延設した上面壁と、該上面壁の外周縁から下方へ降設した本体外側壁が形成され、該本体外側壁の下端から外周方向へ延設した前記本体フランジが形成される（１）に記載の包装用容器。
（３）前記蓋は、天面壁と該天面壁の周囲から降設した蓋側壁と、該蓋側壁の下端から外周方向へ延設した蓋段部と、該蓋段部の外周縁から降設した蓋外側壁と、該蓋フランジが前記蓋外側壁の下端から外周方向に延設される（２）に記載の包装用容器。
（４）前記天面壁の外周部の対向する位置に天面壁よりも高い一対の丘状部を形成することによって、該丘状部間に前記天面壁の一方の外周縁から他方の外周縁まで連続する平面部が形成された（３）に記載の包装用容器。
（５）前記本体外側壁に外周方向へ膨出した環状本体係止突条が形成され、前記蓋外側壁に内側へ膨出した蓋係止突条が形成された（３）または（４）に記載の包装用容器。